(57)【要約】【課題】液体の詰め替え作業が容易なものとし、なお且つキャップの緩みやガタツキ等の発生を防止したキャップ付き容器を提供する。【解決手段】口頸部が設けられた容器本体２と、容器本体２の口頸部に螺合により着脱自在に装着されると共に、容器本体２に収容された液体を注出する注出口が設けられた注出キャップ３と、注出キャップ３に螺合により着脱自在に装着されると共に、注出キャップ３から取り外して注出口から注出された液体を計り取る計量部が設けられた計量キャップ４と、注出キャップ３の側面部に設けられた把手５とを備え、把手５が、注出キャップ３の側面部から延長されて、その先端部が下方に向かって屈曲した形状を有し、容器本体２の口頸部に注出キャップ３が装着されたときに、把手５の先端部５ａが容器本体２の当接面２ｅに当接可能とされている。【選択図】図２
2010064752.tif 000002
【特許請求の範囲】
【請求項１】
口頸部が設けられた容器本体と、
前記容器本体の口頸部に螺合により着脱自在に装着されると共に、前記容器本体に収容された液体を注出する注出口が設けられた注出キャップと、
前記注出キャップに螺合により着脱自在に装着されると共に、前記注出キャップから取り外して前記注出口から注出された液体を計り取る計量部が設けられた計量キャップと、
前記注出キャップの側面部に設けられた把手とを備え、
前記把手は、前記注出キャップの側面部から延長されて、その先端部が下方に向かって屈曲した形状を有し、
前記容器本体の口頸部に前記注出キャップが装着されたときに、前記把手の先端部が前記容器本体の当接面に当接可能とされていることを特徴とするキャップ付き容器。
【請求項２】
前記容器本体の当接面に前記把手の先端部が嵌合される凹部が設けられていることを特徴とする請求項１に記載のキャップ付き容器。
【請求項３】
前記容器本体の当接面に凸部が設けられ、前記把手の先端部に前記凸部が嵌合される凹部が設けられていることを特徴とする請求項１に記載のキャップ付き容器。
【請求項４】
前記把手の先端部には、前記容器本体の当接面と当接される当接面が設けられ、
前記容器本体の当接面と前記把手の当接面とが互いに平坦化されていることを特徴とする請求項１に記載のキャップ付き容器。
【請求項５】
前記容器本体を上面側から見たときに、前記容器本体の輪郭線の内側に前記把手が位置することを特徴とする請求項１〜４の何れか一項に記載のキャップ付き容器。
【発明の詳細な説明】
【技術分野】
【０００１】
本発明は、キャップ付き容器の改良に関し、特に把手が設けられたキャップ付き容器に関する。
【背景技術】
【０００２】
従来より、液体洗剤や液体漂白剤、柔軟仕上げ剤などの液体製品を容器本体に収容し、この容器本体に着脱自在に被せられるキャップを計量カップとして使用するキャップ付き容器がある（例えば特許文献１，２を参照。）。
【０００３】
このようなキャップ付き容器は、例えば図９に示すように、内容液を収容する容器本体１００と、この容器本体１００から注出された内容液を計り取る計量部１０１ａが設けられた計量キャップ１０１と、この計量キャップ１０１に内容液を注出するための注出ノズル１０２ａが設けられた注出キャップ１０２とを備えている。また、注出キャップ１０２には、注出ノズル１０２ａの基端部から周囲に広がる環状の底壁１０２ｂと、注出ノズル１０２ａとの間に環状の空隙Ｒ’を隔てて底壁１０２ｂの周囲から上方に向かって立ち上がる筒状の周壁１０２ｃと、底壁１０２ｂに向かって流れ落ちる内容液を容器本体１００内に戻す戻し口１０２ｄとが設けられている。
【０００４】
そして、このような液体製品を用いて洗濯などを行う場合には、図１０に示すように、計量キャップ１０１を注出キャップ１０２から取り外し、注出ノズル１０２ａから注出された内容液を計量キャップ１０１の計量部１０１ａで計り取った後に、洗濯機に投入するといった操作を行う。
【０００５】
また、従来のキャップ付き容器では、容器本体の口頸部に対して注出キャップを螺合により装着することが一般に行われている。しかしながら、上述した容器本体１００の口頸部１００ａに注出キャップ１０２を螺合により装着すると、計量キャップ１０１を取り外す際に注出キャップ１０２が共回りしてしまい、注出キャップ１０２ごと取り外してしまうといった不都合が発生してしまう。
【０００６】
このため、容器本体１００の口頸部１００ａに対する注出キャップ１０２の装着には、ラチェット方式やストッパーを併用したねじ嵌合方式、或いは打ち込み嵌合方式などが用いられている。これにより、容器本体１００に内容液を充填し、この容器本体１００の口頸部１００ａに注出キャップ１０２を装着した後は、消費者が注出キャップ１０２を容易に取り外すことができないようになっている。
【０００７】
ところで、このようなキャップ付き容器に入った液体製品では、資源の有効利用の観点から、内容液を使い切った後に、簡易包装された詰め替え容器を購入してきて、この詰め替え容器に収容された内容液をキャップ付き容器に詰め替えることにより、このキャップ付き容器を買い換えずに再利用するといったことが行われている。
【０００８】
具体的に、詰め替え作業の際には、上述したように注出キャップ１０２を取り外すことができないため、図１１に示すような詰め替え容器２００から注出された内容液を注出ノズル１０２ａと周壁１０２ｃとの間にある空隙Ｒ’から注ぎ入れるといった作業が行われている。
【０００９】
しかしながら、従来のキャップ付き容器では、このような詰め替え作業の際に、注出ノズル１０２ａが邪魔となってしまい、上述した空隙Ｒ’に内容液をうまく注ぎ入れることができずに内容液を注出キャップ１０２の外側に溢してしまうことがあった。また、作業時間の短縮のため、上述した空隙Ｒ’に内容液を勢いよく注ぐと、内容液が注出キャップ１０２の外側に溢れ出すこともある。したがって、何れの場合も、注出キャップ１０２の周囲を内容液で汚してしまうといった問題が発生してしまう。
【００１０】
したがって、上述した詰め替え作業の際には、詰め替え容器２００から注出された内容液を容器本体１００に注ぎ入れ易くするため、注出キャップ１０２を容器本体１００の口頸部１００ａに対して取り外し可能とし、比較的広口な口頸部１０１から内容液を注ぎ入れるようにすることが望まれる。
【特許文献１】特開２０００−１６８８２１号公報
【特許文献２】特許第３０１５３４２号公報
【発明の開示】
【発明が解決しようとする課題】
【００１１】
しかしながら、容器本体１００の口頸部１００ａに対して注出キャップ１０２を螺合により着脱自在に装着した場合には、上述した計量キャップ１０１を取り外す際の注出キャップ１０２の共回りの問題が発生してしまう。逆に、共回りを防ぐため、容器本体１００の口頸部１００ａに対する注出キャップ１０２の締結力を強めてしまうと、詰め替え作業の際に注出キャップ１０２を取り外すことが困難となるといった問題が発生してしまう。
【００１２】
そこで、本発明者らは、注出キャップに把手を設けて、一方の手で把手を把持しながら他方の手で計量キャップを回すようにすることで、注出キャップの共回りを防ぐ一方、把手を把持しながら注出キャップを回すことで、注出キャップに大きな力（開栓トルク）が加わるようにして、容器本体の口頸部に対する注出キャップの締結力を強化することを提案している。
【００１３】
ところで、このような把手を注出キャップに設けると、把手に外部からの衝撃等が加わることによって注出キャップが緩むことがある。また、注出キャップに把手を設けた場合には、内容液が収容された容器本体の荷重は把手が設けられた注出キャップ１０２の口頸部１００ａとの螺合部分に集中するため、この部分にガタツキが生じ易くなる。
【００１４】
本発明は、このような従来の事情に鑑みて提案されたものであり、液体の詰め替え作業が容易なものとし、なお且つキャップの緩みやガタツキ等の発生を防止したキャップ付き容器を提供することを目的とする。
【課題を解決するための手段】
【００１５】
上記目的を達成するために、請求項１に係る発明は、口頸部が設けられた容器本体と、容器本体の口頸部に螺合により着脱自在に装着されると共に、容器本体に収容された液体を注出する注出口が設けられた注出キャップと、注出キャップに螺合により着脱自在に装着されると共に、注出キャップから取り外して注出口から注出された液体を計り取る計量部が設けられた計量キャップと、注出キャップの側面部に設けられた把手とを備え、把手が、注出キャップの側面部から延長されて、その先端部が下方に向かって屈曲した形状を有し、容器本体の口頸部に注出キャップが装着されたときに、把手の先端部が容器本体の当接面に当接可能とされていることを特徴とするキャップ付き容器である。
【００１６】
また、請求項２に係る発明は、容器本体の当接面に把手の先端部が嵌合される凹部が設けられていることを特徴とする請求項１に記載のキャップ付き容器である。
【００１７】
また、請求項３に係る発明は、容器本体の当接面に凸部が設けられ、把手の先端部に凸部が嵌合される凹部が設けられていることを特徴とする請求項１に記載のキャップ付き容器である。
【００１８】
また、請求項４に係る発明は、把手の先端部に、容器本体の当接面と当接される当接面が設けられ、容器本体の当接面と把手の当接面とが互いに平坦化されていることを特徴とする請求項１に記載のキャップ付き容器である。
【００１９】
また、請求項５に係る発明は、容器本体を上面側から見たときに、容器本体の輪郭線の内側に把手が位置することを特徴とする請求項１〜４の何れか一項に記載のキャップ付き容器である。
【発明の効果】
【００２０】
以上のように、本発明に係るキャップ付き容器では、計量キャップを注出キャップから取り外す際の注出キャップの共回りを防ぐ一方、詰め替え作業の際には注出キャップを取り外して容器本体の口頸部から液体を注ぎ入れることが可能である。さらに、このキャップ付き容器では、把手に外部からの衝撃等が加わることによる注出キャップの緩み等の発生を防止し、なお且つ容器本体の口頸部と注出キャップとの螺合部分にガタツキ等が発生することを防止することが可能である。
【発明を実施するための最良の形態】
【００２１】
以下、本発明を適用したキャップ付き容器について、図面を参照して詳細に説明する。
（第１の実施形態）
先ず、本発明の第１の実施形態として図１に示すキャップ付き容器１について説明する。
このキャップ付き容器１は、図１及び図２（ａ），（ｂ）に示すように、例えば液体洗剤や液体柔軟剤などの液体が収容された容器本体２と、この容器本体２の口頸部２ａに螺合により着脱自在に装着される注出キャップ３と、この注出キャップ３に螺合により着脱自在に被せられる計量キャップ４と、注出キャップ３に設けられた把手５とを備えている。
【００２２】
容器本体２は、例えばポリエチレン樹脂やポリプロピレン樹脂、ポリエステル樹脂などの合成樹脂材料をブロー成形によりボトル状に成形したものからなる。そして、この容器本体２の底部２ｂの外周から起立してなる胴部２ｃの上端部には、略円筒状に縮径された口頸部２ａが設けられている。また、口頸部２ａの外周面には、注出キャップ３を螺合により装着するためのネジ部２ｄが形成されている。
【００２３】
なお、口頸部２ａの外周面には、注出キャップ３が螺合により装着されたときに、この注出キャップ３の回転を規制するストッパー（図示せず。）が設けられている。これにより、容器本体２に対する注出キャップ３の取り付け位置を常に同一位置に保持することが可能である。
【００２４】
なお、容器本体２の形状については、本実施形態として示す形状のものに必ずしも限定されるものではなく、適宜変更して実施することが可能である。また、この容器本体２に収容される液体洗剤については、従来より一般に使用されている液体洗剤を収容することができる。
【００２５】
注出キャップ３は、例えばポリエチレン樹脂やポリプロピレン樹脂などの合成樹脂材料からなる。この注出キャップ３は、図３に示すように、口頸部２ａの内側から上方に向かって立ち上がる注出ノズル６と、注出ノズル６の基端部から周囲に広がる環状の底壁７と、注出ノズル６との間に空隙Ｒを隔てて底壁７の周囲から上方に向かって立ち上がる筒状の下部内周壁８と、下部内周壁８の上方に位置して計量キャップ４が着脱自在に装着される上部内周壁９と、上部内周壁９の外側に位置して口頸部２ａに着脱自在に装着される外周壁１０とを有している。
【００２６】
このうち、注出ノズル６は、注出キャップ３内の略中央位置において注出口６ａを形成すると共に、この注出キャップ３の開口周縁部よりも上方に突出して設けられている。また、この注出ノズル６には、容器本体２を傾ける側とは反対側を部分的に切り抜くスリット６ｂが形成されている。
【００２７】
底壁７は、容器本体２を傾ける方向とは反対方向に傾斜して設けられている。そして、この底壁７の下端部は、注出ノズル６や計量キャップ４に付着した液体洗剤を回収するための液溜め部７ａを形成している。液溜め部７ａには、この液溜め部７ａに溜まった液体洗剤を容器本体２内に戻すための戻し口１１が設けられている。
【００２８】
この戻し口１１は、底壁７に向かって流れ落ちる液体洗剤を容器本体２内に戻すためのものであり、容器本体２の内部と連通される貫通孔とされている。また、戻し口１１は、容器本体２を傾ける側とは反対側に位置して、所定の幅（５ｍｍ〜１５ｍｍ）で注出ノズル６を中心に所定の角度範囲（５゜〜９０゜）に亘って略円弧状に形成されている。戻し口１１は、このような形状を有することによって、液体洗剤を容器本体２の内部へと速やかに戻すことができる。なお、戻し口１１は、容器本体２を傾ける側とは反対側であれば、注出ノズル６、底壁７、又は下部内周壁８に設けることも、或いはそれらの間に亘って設けることもできる。
【００２９】
下部内周壁８は、口頸部２ａの内側に挿入される部分であり、環状の空隙Ｒを隔てて注出ノズル６の周囲を囲むように設けられている。上部内周壁９は、この下部内周壁８の上端部から段差部１２を介して更に口頸部２ａよりも上方に向かって略円筒状に立ち上がり形成されている。また、上部内周壁９の外周面には、計量キャップ４を螺合により着脱自在とするためのネジ部９ａが形成されている。
【００３０】
外周壁１０は、上部内周壁９のネジ部９ａよりも下方に位置するフランジ部１３を介して下方に向かって略円筒状に垂下されている。また、外周壁１０の内周面には、上述した口頸部２ａのネジ部２ｄに螺合されるネジ部１０ａが形成されている。これにより、注出キャップ３は、容器本体２の口頸部２ａに対して着脱自在に装着することが可能となっている。
【００３１】
計量キャップ４は、例えばポリエチレン樹脂やポリプロピレン樹脂などの合成樹脂材料からなる。この計量キャップ４は、注出キャップ３から取り外して注出ノズル６から注出された液体洗剤を計り取る計量部４ａを有している。
【００３２】
具体的に、この計量キャップ４は、図３に示すように、計量部４ａの底面部を構成する天板部１４と、計量部４ａの側面部を構成する内筒部１５と、内筒部１５の外側に位置して注出キャップ３に着脱自在に装着される外筒部１６とを有している。
【００３３】
このうち、天板部１４は、内筒部１５と一体に形成されて内筒部１５の上面部を閉塞している。内筒部１５は、天板部１４の下面から注出ノズル６の周囲を囲むように垂下されている。外筒部１６は、内筒部１５の外周面の中途部に位置するフランジ部１７を介して下方に向かって略円筒状に垂下されている。また、外筒部１６の内周面には、上述した上部内周壁９のネジ部９ａに螺合されるネジ部１６ａが形成されている。これにより、計量キャップ４は、注出キャップ３に対して着脱自在に被せることが可能となっている。
【００３４】
なお、計量キャップ４は、計量部４ａによる計量を行い易くするため、透明であることが好ましい。また、内筒部１５の側面部に、容量表示のための目盛りを設けたり、外筒部１６の外周面に、この計量キャップ４を回す際の滑り止めとなる複数の縦溝を設けたりすることが可能である。
【００３５】
把手５は、図１及び図２（ａ），（ｂ）に示すように、注出キャップ３と一体に形成されたものであり、この注出キャップ３の側面部から延長されて、その先端部５ａが下方に向かって屈曲した形状を有している。また、把手５の先端部５ａは、容器本体２の口頸部２ａに注出キャップ３が装着されたときに、この容器本体２を傾ける側とは反対側の胴部２ｃに設けられた当接面２ｅと当接可能とされている。さらに、容器本体２の胴部２ｃと把手５との間には、把手５を把持するのに必要な空間Ｓが設けられている。
【００３６】
一方、容器本体２の当接面２ｅには、把手５の先端部５ａが嵌合される凹部１８が設けられている。この凹部１８は、当接面２ｅの一部を容器本体２の内側に向かって凹ませることにより形成されている。そして、容器本体２の口頸部２ａに注出キャップ３を装着する又は容器本体２の口頸部２ａから注出キャップ３を取り外す際には、注出キャップ３を一の方向又は他の方向に回させながら、把手５の先端部５ａを凹部１８に対して嵌合又は離脱させることが可能である。なお、把手５の先端部５ａは、凹部１８に嵌合又は凹部１８から離脱されるときに、注出キャップ３の軸回りにおいて容器本体２の当接面２ｅを乗り越える必要がある。このため、容器本体２の胴部２ｃと把手５とは、互いに弾性変形しながら把手５の先端部５ａが容器本体２の当接面２ｅを乗り越えて凹部１８に対して嵌合又は離脱できるような剛性を有している。
【００３７】
以上のようなキャップ付き容器１を用いて洗濯などを行う場合には、一方の手で把手５を把持しながら、他方の手で計量キャップ４を回すことによって、注出キャップ３の共回りを防ぎつつ、計量キャップ４のみを注出キャップ３から取り外すことができる。そして、容器本体２を傾けて注出ノズル６から注出された液体洗剤を計量キャップ４の計量部４ａで計り取った後に、洗濯機に投入するといった操作を行う。
【００３８】
一方、液体洗剤を詰め替える場合には、一方の手で容器本体２を把持しながら、他方の手で把手５を把持し注出キャップ３を回すことによって、この注出キャップ３に大きな力（開栓トルク）が加わるようにして、注出キャップ３を容器本体２から取り外すことができる。そして、詰め替え容器（図示せず。）に収容された液体洗剤を容器本体２の口頸部２ａから注ぎ入れるといった操作を行う。
【００３９】
以上のようにして、このキャップ付き容器１では、計量キャップ４を注出キャップ３から取り外す際の注出キャップ３の共回りを防ぐ一方、詰め替え作業の際には注出キャップ３を取り外して容器本体２の口頸部２ａから液体洗剤を注ぎ入れることが可能である。
【００４０】
なお、注出キャップ３を容器本体２から取り外す際の注出キャップ３の容器本体２に対する開栓トルクＴ１は、計量キャップ４の注出キャップ３に対する開栓トルクＴ２よりも大きくする必要があり、具体的には１５０〜３５０Ｎ・ｓとすることが好ましい。
【００４１】
この注出キャップ３の開栓トルクＴ１が１５０Ｎ・ｓ未満であって計量キャップ４の開栓トルクＴ２よりも小さい場合には、使用者が把手５を持たずに計量キャップ４を取り外す際に注出キャップ３が共回りしてしまう虞がある。一方、この注出キャップ３の開栓トルクＴ１が３５０Ｎ・ｓを超えると、注出キャップ３の容器本体２からの取り外しに大きな力が必要となり、把手５を把持して注出キャップ３を回そうとしても開栓が困難となる場合がある。
【００４２】
また、計量キャップ４の注出キャップ３に対する開栓トルクＴ２は、注出キャップ３の開栓トルクＴ１よりも小さくする必要があり、具体的には８０〜１５０Ｎ・ｓとすることが好ましい。
【００４３】
この計量キャップ４の開栓トルクＴ２が８０Ｎ・ｓ未満であると、計量キャップ４が注出キャップ３に対して緩み易くなり、容器本体２を傾けたときに計量キャップ４と注出キャップ３との螺合部分から液体洗剤が漏れ出す虞がある。一方、この計量キャップ４の開栓トルクＴ２が１５０Ｎ・ｓを超えて注出キャップ３の開栓トルクＴ１よりも大きくなる場合には、計量キャップ４の注出キャップ３からの取り外しに大きな力が必要となり、計量キャップ４を取り外す際に注出キャップ３が共回りしてしまう虞がある。
【００４４】
したがって、注出キャップ３の開栓トルクＴ１は、１５０〜３５０Ｎ・ｓの範囲であることが好ましく、より好ましくは２００〜３００Ｎ・ｓの範囲であり、計量キャップ４の開栓トルクＴ２は、８０〜１５０Ｎ・ｓの範囲であることが好ましく、より好ましくは１００〜１３０Ｎ・ｓの範囲であり、なお且つ、注出キャップ３の開栓トルクＴ１は、計量キャップ４の開栓トルクＴ２よりも大きくすること（Ｔ１＞Ｔ２）が好ましい。これにより、計量キャップ４を注出キャップ３から取り外す際の注出キャップ３の共回りを防ぐ一方、上述した詰め替え作業の際には、把手５を把持して注出キャップ３を容器本体２の口頸部２ａから取り外すことが可能である。
【００４５】
ところで、本発明を適用したキャップ付き容器１では、容器本体２の口頸部２ａに注出キャップ３が装着されたときに、把手５の先端部５ａが容器本体２の当接面２ｅに当接されると共に、この当接面２ｅに設けられた凹部１８に把手５の先端部５ａを嵌合させることが可能である。
【００４６】
この場合、容器本体２の凹部１８に把手５の先端部５ａを嵌合させることによって、容器本体２の口頸部２ａに装着された注出キャップ３の向きを決まった方向に規制することができ、なお且つ、この注出キャップ３の螺合により装着が完了する位置を明確に規定することができる。
【００４７】
また、このキャップ付き容器１では、容器本体２の凹部１８に把手５の先端部５ａを嵌合させることによって、把手５に外部からの衝撃等が加わった場合でも、把手５の先端部５ａが凹部１８から容易に離脱することがないため、注出キャップ３の緩み等の発生を防ぐことが可能である。なお且つ、このキャップ付き容器１を持ち上げたり傾けたりした場合でも、容器本体２の口頸部２ａと注出キャップ３との螺合部分に加わる負荷を軽減し、この容器本体２の口頸部２ａと注出キャップ３との螺合部分にガタツキ等が発生したりすることを防ぐことが可能である。
【００４８】
なお、上述した把手５が一体に設けられた注出キャップ３の場合、螺合開始から容器本体２に装着されるまでの間に、この注出キャップ３を何回転も回転させることは、キャップ開閉時の操作性を非常に悪くする。このため、容器本体２に対する注出キャップ３の開閉操作は、１／３回転以上、１回転以下の範囲で行えるようにすることが好ましい。これにより、上述した液体洗剤の詰め替え作業の際に注出キャップ３の開閉操作を容易なものとすることができる。
【００４９】
また、上記キャップ付き容器１では、把手５の先端部５ａが容器本体２の凹部１８に直接嵌合される構成となっているが、このような構成に必ずしも限定されるものではなく、把手５の先端部５ａに容器本体２の当接面２ｅと当接される当接面を設けて、この当接面に凹部１８と嵌合される凸部を設けた構成としてもよい。
【００５０】
（第２の実施形態）
次に、本発明の第２の実施形態として図４に示すキャップ付き容器２０について説明する。なお、以下の説明では、上記キャップ付き容器１と同等の部位については、説明を省略すると共に、図面において同じ符号を付すものとする。
【００５１】
このキャップ付き容器２０は、図４及び図５（ａ），（ｂ）に示すように、上記凹部１８の代わりに、容器本体２の当接面２ｅに凸部２１を設け、この凸部２１が嵌合される凹部２２を把手５の先端部５ａに設けた構成であり、それ以外は上記キャップ付き容器１とほぼ同様の構成を有している。
【００５２】
具体的に、容器本体２の当接面２ｅには、この当接面２ｅの一部を容器本体２の外側に向かって突出（膨出）させることにより凸部２１が形成されている。一方、把手５の先端部５ａには、容器本体２の当接面２ｅと当接される当接面５ｂが設けられ、この当接面５ｂの一部を内側に向かって凹ませることにより、凸部２１に対応した形状の凹部２２が形成されている。
【００５３】
そして、このキャップ付き容器２０では、容器本体２の口頸部２ａに注出キャップ３を装着する又は容器本体２の口頸部２ａから注出キャップ３を取り外す際に、注出キャップ３を一の方向又は他の方向に回させながら、容器本体２側の凸部２１を把手５側の凹部２２に対して嵌合又は離脱させることが可能となっている。
【００５４】
以上のようなキャップ付き容器２０を用いて洗濯などを行う場合には、上記キャップ付き容器１と同様に、一方の手で把手５を把持しながら、他方の手で計量キャップ４を回すことによって、注出キャップ３の共回りを防ぎつつ、計量キャップ４のみを注出キャップ３から取り外すことができる。そして、容器本体２を傾けて注出ノズル６から注出された液体洗剤を計量キャップ４の計量部４ａで計り取った後に、洗濯機に投入するといった操作を行う。
【００５５】
一方、液体洗剤を詰め替える場合には、一方の手で容器本体２を把持しながら、他方の手で把手５を把持し注出キャップ３を回すことによって、この注出キャップ３に大きな力（開栓トルク）が加わるようにして、注出キャップ３を容器本体２から取り外すことができる。そして、詰め替え容器（図示せず。）に収容された液体洗剤を容器本体２の口頸部２ａから注ぎ入れるといった操作を行う。
【００５６】
以上のようにして、このキャップ付き容器２０では、計量キャップ４を注出キャップ３から取り外す際の注出キャップ３の共回りを防ぐ一方、詰め替え作業の際には注出キャップ３を取り外して容器本体２の口頸部２ａから液体洗剤を注ぎ入れることが可能である。
【００５７】
また、このキャップ付き容器２０では、容器本体２の口頸部２ａに注出キャップ３が装着されたときに、把手５の当接面５ｂが容器本体２の当接面２ｅに当接されると共に、把手５側の凹部２２に容器本体２側の凸部２１を嵌合させることが可能である。
【００５８】
この場合、把手５側の凹部２２に容器本体２側の凸部２１を嵌合させることによって、容器本体２の口頸部２ａに装着された注出キャップ３の向きを決まった方向に規制することができ、なお且つ、この注出キャップ３の螺合により装着が完了する位置を明確に規定することができる。
【００５９】
また、このキャップ付き容器２０では、把手５側の凹部２２に容器本体２側の凸部２１を嵌合させることによって、把手５に外部からの衝撃等が加わった場合でも、凸部２１が凹部２２から容易に離脱することがないため、注出キャップ３の緩み等の発生を防ぐことが可能である。なお且つ、このキャップ付き容器２０を持ち上げたり傾けたりした場合でも、容器本体２の口頸部２ａと注出キャップ３との螺合部分に加わる負荷を軽減し、この容器本体２の口頸部２ａと注出キャップ３との螺合部分にガタツキ等が発生したりすることを防ぐことが可能である。
【００６０】
（第３の実施形態）
次に、本発明の第３の実施形態として図６に示すキャップ付き容器３０について説明する。なお、以下の説明では、上記キャップ付き容器１と同等の部位については、説明を省略すると共に、図面において同じ符号を付すものとする。
【００６１】
このキャップ付き容器は、図６及び図７（ａ），（ｂ）に示すように、上記凹部１８の代わりに、容器本体２を傾ける側とは反対側の胴部２ｃに当接面２ｆを設け、この容器本体２側の当接面２ｆと当接される当接面５ｃを把手５の先端部５ａに設けた構成であり、それ以外は上記キャップ付き容器１とほぼ同様の構成を有している。
【００６２】
具体的に、容器本体２には、この容器本体２を傾ける側とは反対側の胴部２ｃの一部を底部２ｂと平行に平坦化した当接面２ｆが形成されている。一方、把手５には、その先端部５ａを容器本体２側の当接面２ｆと平行となるように平坦化した当接面５ｃが形成されている。
【００６３】
そして、このキャップ付き容器３０では、容器本体２の口頸部２ａに注出キャップ３を装着した際に、容器本体２側の当接面２ｆと把手５側の当接面５ｃとを当接させることが可能となっている。なお、なお、把手５の先端部５ａは、容器本体２の口頸部２ａに注出キャップ３を装着する又は容器本体２の口頸部２ａから注出キャップ３を取り外す際に、注出キャップ３の軸回りにおいて容器本体２の当接面２ｆを僅かに乗り越えるようになっている。これにより、容器本体２の胴部２ｃと把手５とを互いに弾性変形させながら、容器本体２側の当接面２ｆと把手５側の当接面５ｃとをより密着させることが可能となっている。
【００６４】
以上のようなキャップ付き容器３０を用いて洗濯などを行う場合には、上記キャップ付き容器１と同様に、一方の手で把手５を把持しながら、他方の手で計量キャップ４を回すことによって、注出キャップ３の共回りを防ぎつつ、計量キャップ４のみを注出キャップ３から取り外すことができる。そして、容器本体２を傾けて注出ノズル６から注出された液体洗剤を計量キャップ４の計量部４ａで計り取った後に、洗濯機に投入するといった操作を行う。
【００６５】
一方、液体洗剤を詰め替える場合には、一方の手で容器本体２を把持しながら、他方の手で把手５を把持しキャップ３を回すことによって、この注出キャップ３に大きな力（開栓トルク）が加わるようにして、注出キャップ３を容器本体２から取り外すことができる。そして、詰め替え容器（図示せず。）に収容された液体洗剤を容器本体２の口頸部２ａから注ぎ入れるといった操作を行う。
【００６６】
以上のようにして、このキャップ付き容器３０では、計量キャップ４を注出キャップ３から取り外す際の注出キャップ３の共回りを防ぐ一方、詰め替え作業の際には注出キャップ３を取り外して容器本体２の口頸部２ａから液体洗剤を注ぎ入れることが可能である。
【００６７】
また、このキャップ付き容器３０では、容器本体２の口頸部２ａに注出キャップ３が装着されたときに、容器本体２側の当接面２ｆと把手５側の当接面５ｃとを当接させることによって、容器本体２の口頸部２ａに装着された注出キャップ３の向きを決まった方向に規制することができ、なお且つ、この注出キャップ３の螺合により装着が完了する位置を明確に規定することができる。
【００６８】
また、このキャップ付き容器３０では、把手５に外部からの衝撃等が加わった場合でも、互いに当接される容器本体３０側の当接面２ｆと把手５側の当接面５ｃとを密着させることによって、注出キャップ３の緩み等の発生を防ぐことが可能である。なお且つ、このキャップ付き容器３０を持ち上げたり傾けたりした場合でも、容器本体２の口頸部２ａと注出キャップ３との螺合部分に加わる負荷を軽減し、この容器本体２の口頸部２ａと注出キャップ３との螺合部分にガタツキ等が発生したりすることを防ぐことが可能である。
【００６９】
なお、本発明は、上記実施形態のものに必ずしも限定されるものではなく、本発明の趣旨を逸脱しない範囲において種々の変更を加えることが可能である。
【００７０】
具体的に、本発明では、例えば図８（ａ）に示すキャップ付き容器１，２０又は図８（ｂ）に示すキャップ付き容器３０のように、容器本体２を上面側から見たときに、容器本体２の輪郭線の内側に把手５が位置するような構成としてもよい。この場合、容器本体２の外縁Ｗよりも内側に把手５が位置することで、把手５に外部からの衝撃等が加わりにくい構造とすることが可能である。
【００７１】
また、上記キャップ付き容器１，２０，３０では、把手５が注出キャップ３と一体に形成された構成となっているが、このような構成に限定されるものではなく、把手５が注出キャップ３とは別体に形成された構成としてもよい。この場合、注出キャップ３と把手５とを別々に製造することができ、上記キャップ付き容器１，２０，３０を製造する際の製造コストを抑えることが可能である。
【００７２】
さらに、容器本体２に液体洗剤を充填した後に、この容器本体２の口頸部２ａに注出キャップ３を装着するといった通常のキャッピング工程の後で、把手５を注出キャップ３に取り付けることが可能である。したがって、この場合は、容器本体２に液体洗剤を充填した後のキャッピング工程を容易なものとすることが可能である。
【００７３】
なお、本発明は、上述した液体洗剤や液体柔軟剤などの液体を収容したもの以外にも、その他の液体製品や、薬品、食品等といった中で計量を必要とする液体を収容したものに対して幅広く適用することが可能である。
【図面の簡単な説明】
【００７４】
【図１】図１は、第１の実施形態として示すキャップ付き容器の組立て前の状態を示す側面図である。
【図２】図２は、図１に示すキャップ付き容器の組立図であり、（ａ）は一の方向から見た側面図であり、（ｂ）は一の方向と直交する方向から見た側面図である。
【図３】図３は、図１に示すキャップ付き容器の断面図である。
【図４】図４は、第２の実施形態として示すキャップ付き容器の組立て前の状態を示す側面図である。
【図５】図５は、図４に示すキャップ付き容器の組立図であり、（ａ）は一の方向から見た側面図であり、（ｂ）は一の方向と直交する方向から見た側面図である。
【図６】図６は、第３の実施形態として示すキャップ付き容器の組立て前の状態を示す側面図である。
【図７】図７は、図６に示すキャップ付き容器の組立図であり、（ａ）は一の方向から見た側面図であり、（ｂ）は一の方向と直交する方向から見た側面図である。
【図８】図８（ａ）は、第１，２の実施形態として示すキャップ付き容器の変形例を示す側面図であり、図８（ｂ）は、第３の実施形態として示すキャップ付き容器の変形例を示す側面図である。
【図９】図９は、従来のキャップ付き容器の一例を示す断面図である。
【図１０】図１０は、キャップ付き容器の計量時の状態を示す斜視図である。
【図１１】図１１は、キャップ付き容器の詰め替え時の状態を示す斜視図である。
【符号の説明】
【００７５】
１…キャップ付き容器  ２…容器本体  ２ａ…口頸部  ２ｅ，２ｆ…当接面  ３…注出キャップ  ４…計量キャップ  ４ａ…計量部  ５…把手  ５ａ…先端部  ５ｂ，５ｃ…当接面  ６…注出ノズル  ６ａ…注出口  １８…凹部  ２０…キャップ付き容器  ２１…凸部  ２２…凹部  ３０…キャップ付き容器
【図１】
2010064752.tif 000003
【図２】
2010064752.tif 000004
【図３】
2010064752.tif 000005
【図４】
2010064752.tif 000006
【図５】
2010064752.tif 000007
【図６】
2010064752.tif 000008
【図７】
2010064752.tif 000009
【図８】
2010064752.tif 000010
【図９】
2010064752.tif 000011
【図１０】
2010064752.tif 000012
【図１１】
2010064752.tif 000013